(57)【特許請求の範囲】
【請求項１】
上枠材、下枠材および左右の縦枠材を四周枠組みして構成されるとともに面材の外周端縁を保持する枠体と、
前記枠体における前記上枠材と下枠材との間および前記左右の縦枠材間の少なくとも一方の枠材間に渡って設けられるとともに、当該枠材間の距離略全長に渡って前記面材の一方側の表面に接着される中間部材とを備え、
前記枠体の見込み方向一方側端縁よりも前記中間部材が一方側に突出して設けられている面材支持構造。
【請求項２】
前記中間部材は、中空断面を有した長尺部材から構成され、この中間部材の長手方向両端部には、それぞれ中空部に挿入される端部部材が取り付けられ、これらの端部部材を介して当該中間部材が前記枠体に連結されている請求項１に記載の面材支持構造。
【請求項３】
前記端部部材には、固着具を介して前記枠体の一方側側面に固定される固定片部が形成されるとともに、前記固着具を覆うカバー部材が係脱自在に取り付けられている請求項２に記載の面材支持構造。
【請求項４】
前記上枠材、下枠材および左右の縦枠材は、それぞれ見付け方向内方に開口して前記面材の端縁を保持する凹溝部を有して形成され、
前記凹溝部は、前記面材を見込み方向一方側から保持する第１保持部および他方側から保持する第２保持部を有して形成され、この第２保持部は、前記上下左右の各枠材における見込み方向他方側の端面と略同一面に設けられた突片で構成されている請求項１から請求項３のいずれかに記載の面材支持構造。
【請求項５】
前記中間部材は、前記面材に向かって突出するとともに当該中間部材の長手方向略全長に渡る一対の突条を有して形成され、これら一対の突条間に設けられた帯状の接着部材で前記面材に接着されている請求項１から請求項４のいずれかに記載の面材支持構造。
【請求項６】
建具枠と、この建具枠に左右スライド開閉自在に支持された少なくとも１枚の障子と、開放した前記障子を収納する障子収納部とを備えた建具であって、
前記障子は、四周框組みされた枠体と、この枠体内部に支持される面材とを有して構成され、この面材が請求項１から請求項５のいずれかに記載の面材支持構造で前記枠体に支持されている建具。
【請求項７】
浴室出入り口に設置される建具であって、
前記面材支持構造を構成する中間部材が前記面材における浴室と反対側の側面に接着されている請求項６に記載の建具。
【発明の詳細な説明】
【技術分野】
【０００１】
本発明は、面材支持構造および建具に関する。
【背景技術】
【０００２】
建具枠と、この建具枠に開閉可能に支持された障子とを備える浴室出入り口用の建具が知られている（例えば、特許文献１参照）。
特許文献１に記載された浴室出入り口用建具における障子は、上框、下框および左右の縦框を四周框組みした内部に面材を嵌め込んで構成されており、上下左右の各框材には、面材の四周端縁を保持する溝が見付け方向内方に開口して形成されている。そして、障子の面材は、上下左右の各框材の溝に挿入されるとともに、溝の内部に設けたホットメルト（溶融樹脂接着剤）によって框材に固定されるようになっている。また、面材を保持する溝は、各框材の浴室側端部に形成され、つまり面材が浴室側に偏った位置に支持されるようになっている。
【０００３】
【特許文献１】特開２００７−３２１３４３号公報
【発明の開示】
【発明が解決しようとする課題】
【０００４】
ところで、浴室出入り口用建具の障子において、面材としては、樹脂製パネル材が多用されている。このような樹脂製パネル材は、熱膨張率が大きく、浴室と脱衣室との温度差によって反ることがあり、内気温の高い浴室側の側面が暖められることで、パネル材の中央部分が浴室側に突出するような反りが生じてしまう。このような面材の反りは、特許文献１に記載の開き戸では、外観が劣化する以外にはさほど問題になることはないが、片引き戸や二枚建ての引き戸などにおいては、反った面材が建具枠の縦枠や縦骨、他の障子などに擦ってしまうこととなり、面材に傷が付いたり、開閉時に音鳴りがしたり、摩擦抵抗で開閉操作が阻害されたりなどの不都合が生じる可能性がある。特に、面材が浴室側に偏って設置された特許文献１に記載の障子を片引き戸等として用いた場合には、面材と縦枠や縦骨等とのクリアランスが小さくなることから、前記不都合の可能性が高まり問題である。
【０００５】
本発明の目的は、面材の反りを確実に防止して外観や開閉操作性を良好に維持することができる面材支持構造および建具を提供することにある。
【課題を解決するための手段】
【０００６】
本発明の面材支持構造は、上枠材、下枠材および左右の縦枠材を四周枠組みして構成されるとともに面材の外周端縁を保持する枠体と、前記枠体における前記上枠材と下枠材との間および前記左右の縦枠材間の少なくとも一方の枠材間に渡って設けられるとともに、当該枠材間の距離略全長に渡って前記面材の一方側の表面に接着される中間部材とを備え、前記枠体の見込み方向一方側端縁よりも前記中間部材が一方側に突出して設けられていることを特徴とする。
【０００７】
ここで、中間部材は、上枠材と下枠材との間に設けられる１本または複数本の縦中桟で構成されてもよく、また左右の縦枠材間に設けられる１本または複数本の横中桟で構成されてもよく、さらには１本または複数本の縦中桟と１本または複数本の横中桟との両方、つまり格子状の中桟で構成されてもよい。また、枠体の端縁よりも中間部材が一方側に突出する状態としては、少なくとも中間部材の両端部に近接する枠材よりも中間部材が一方側に突出していればよい。さらに、中間部材は、枠材の一方側端縁の大半を構成する側面部等よりも一方側に突出していればよく、枠材の一方側端縁から部分的に突出する突出部（把手やノブ、ハンドル保持部、気密材保持部等）は、枠材の一方側端縁とはみなさず、このような突出部が中間部材よりも突出するような構成も本願発明に含まれる。
【０００８】
このような本発明によれば、面材の一方側の表面に中間部材を接着したことで、この中間部材の剛性によって面材の反りを防止することができる。そして、中間部材が枠体の対向する枠材間の距離略全長に渡って接着されるとともに、中間部材が枠体の見込み方向一方側端縁よりも突出する程度以上の見込み寸法を有して形成されていることで、中間部材と面材とが一体的に連結されて部材剛性が確保でき、面材の反りを効果的に低減させることができる。従って、枠体および面材から構成した障子を片引き戸等に用いた場合でも、面材が縦枠や縦骨等に摺接したり当接したりすることがなく、面材の傷や音鳴りが防止できるとともに、開閉操作の操作性を良好に維持することができる。さらに、中間部材が面材の一方側の表面に接着されることで、面材の他方側に中間部材が突出したり露出したりせず、面材の他方側と縦枠や縦骨、他の面材等とのクリアランスが確保できるとともに、他方側から中間部材が見えないか目立たなくできて意匠性が良好にできる。  
【０００９】
また、本発明の面材支持構造では、前記中間部材は、中空断面を有した長尺部材から構成され、この中間部材の長手方向両端部には、それぞれ中空部に挿入される端部部材が取り付けられ、これらの端部部材を介して当該中間部材が前記枠体に連結されていることが好ましい。
このような構成によれば、中空状の中間部材の両端部に端部部材を取り付け、これらの端部部材を介して中間部材を枠体に連結することで、中間部材に複雑な加工を施さなくても連結が容易にでき、加工コストや組立作業手間を低減させることができる。さらに、中間部材が枠材よりも一方側に突出して形成されているために、中間部材の端部が露出することになるが、端部部材を取り付けることで中間部材の端部を閉塞させることができ、内部への水や埃等の浸入を防止することができる。さらに、矩形枠状の枠体における互いに対向する枠材に中間部材の両端部を連結する、すなわち中間部材を中桟（縦中桟や横中桟）として架設することで、中間部材の端部固定度を高めることができ、一層効果的に面材の反りを防止することができる。
【００１０】
この際、本発明の面材支持構造では、前記端部部材には、固着具を介して前記枠体の一方側面に固定される固定片部が形成されるとともに、前記固着具を覆うカバー部材が係脱自在に取り付けられていることが好ましい。
このような構成によれば、端部部材に固定片部を形成して枠体の一方側面に固定することで、固定作業が容易にでき、組立作業性を向上させることができる。さらに、端部部材にカバー部材を係合させて固定片部の固着具を覆うことで、固着具を隠蔽することができ、面材支持構造の外観を良好にすることができる。
【００１１】
さらに、本発明の面材支持構造では、前記上枠材、下枠材および左右の縦枠材は、それぞれ見付け方向内方に開口して前記面材の端縁を保持する凹溝部を有して形成され、前記凹溝部は、前記面材を見込み方向一方側から保持する第１保持部および他方側から保持する第２保持部を有して形成され、この第２保持部は、前記上下左右の各枠材における見込み方向他方側の端面と略同一面に設けられた突片で構成されていることが好ましい。
このような構成によれば、面材を他方側から保持する凹溝部の第２保持部を突片で構成し、この突片が枠材における他方側の端面と略同一面に設けられていることで、他方側に偏った位置に面材を支持することができる。このように面材が他方側に偏った場合でも、前述のように中間部材によって面材の反りが低減されていることで、面材が縦枠等に摺接することを確実に防止でき、フラットな外観を有して意匠性に優れた障子などを構成することが可能となる。
【００１２】
また、本発明の面材支持構造では、前記中間部材は、前記面材に向かって突出するとともに当該中間部材の長手方向略全長に渡る一対の突条を有して形成され、これら一対の突条間に設けられた帯状の接着部材で前記面材に接着されていることが好ましい。
このような構成によれば、一対の突条間に設けた帯状の接着部材（例えば、両面テープ）で中間部材を面材に接着することで、突条によって接着部材を隠蔽することができ、外観意匠性を向上させることができる。さらに、突条の突出寸法と接着部材の厚さ寸法とを適宜に設定しておく、すなわち接着部材のつぶれ量に応じて突条の突出寸法を設定しておくことで、接着部材の接着力を均一化させることができる。すなわち、中間部材を面材に向かって押圧して接着部材を接着させる際に、接着部材がつぶれつつ所定の押圧力において突条が面材に当接するように構成しておくことで、中間部材の全長に渡って接着部材のつぶれ量つまり接着力を均一にすることができる。
【００１３】
一方、本発明の建具は、建具枠と、この建具枠に左右スライド開閉自在に支持された少なくとも１枚の障子と、開放した前記障子を収納する障子収納部とを備えた建具であって、前記障子は、四周框組みされた枠体と、この枠体内部に支持される面材とを有して構成され、この面材が前記いずれかの面材支持構造で前記枠体に支持されていることを特徴とする。
このような構成によれば、左右スライド自在に支持された障子において、枠体に支持される面材の反りを中間部材で低減させることができ、障子収納部の端縁を構成する縦骨などに面材が擦ることがなく、面材の傷や音鳴りが防止できるとともに、障子の開閉操作を円滑に実施することができる。
【００１４】
この際、本発明の建具は、浴室出入り口に設置される建具であって、前記面材支持構造を構成する中間部材が前記面材における浴室と反対側の側面に接着されていることが好ましい。
このような構成によれば、内外の温度差が大きい浴室の出入り口に設置される建具において、障子の面材の反りを効果的に低減させることができ、外観や開閉操作性を良好に維持することができる。さらに、中間部材が浴室と反対側（例えば、脱衣室側）に接着されることで、浴室内部から見た障子の外観が良好にでき、建具の意匠性を向上させることができる。
【発明を実施するための最良の形態】
【００１５】
以下、本発明の実施形態を図面に基づいて説明する。
図１は、本実施形態に係る建具である浴室出入り口用の片引き戸１を示す横断面図である。図２は、片引き戸１を示す縦断面図である。
図１および図２において、本実施形態の片引き戸１は、繊維強化プラスチック製の浴槽（不図示）や浴室床Ｆ１（防水パン）、浴室壁等からなる浴室ユニットで構成された浴室と、この浴室に隣接する脱衣室との出入り口に用いられる建具である。この片引き戸１は、上枠２、下枠３および左右の縦枠４，５を枠組みした建具枠６と、この建具枠６内部に片引き形式に開閉可能に支持された１枚の障子１０と、建具枠６内部に固定される固定面材８とを備えて構成されている。建具枠６の上枠２、下枠３および縦枠４，５は、脱衣室の天井材Ｃや床材Ｆ２、額縁材Ｇ等に固定されており、建具枠６の内部には、上枠２と下枠３とに渡って上下に延びる縦骨７が架設されている。
【００１６】
そして、建具枠６の内部における図１の左側略半分の領域には、左右の縦枠のうち左側（図１の左側）の縦枠４と縦骨７との間に出入り用の開口部６Ａが形成され、建具枠６の内部における図１の右側略半分の領域に固定面材８が支持され、この固定面材８の脱衣室側に障子１０を収納する障子収納部８Ａが形成されている。
障子１０は、上框１１、下框１２および左右の縦框１３，１４を四周框組みした枠体としての障子枠１５に、樹脂パネル１６を嵌めこんで構成されている。そして、樹脂パネル１６の脱衣室側側面には、上框１１と下框１２との間に架設される縦中桟２０が接着されている。また、一方（図１の左側）の縦框１３（戸先框）には、障子１０を開閉操作するためのハンドル１７が固定されている。このような障子１０は、上枠２に設けられた上レール２Ａと下枠３に設けられた下レール３Ａとに、それぞれ上框１１と下框１２の戸車とが案内されて左右にスライド開閉できるようになっている。そして、障子１０は、縦框１３が縦枠４に当接し、かつ縦框１４が縦骨７の脱衣室側に重なって開口部６Ａを覆う閉鎖位置と、当該障子１０の略全体が障子収納部８Ａに収納される開放位置と、の間を開閉移動可能に構成されている。
【００１７】
以下、障子１０の構造について、図３〜図６も参照して詳しく説明する。ここで、図３および図４は、それぞれ障子１０を拡大して示す縦断面図および横断面図である。図５は、縦中桟２０の上下端部に設けられる端部部材２１を示す斜視図であり、図６は、端部部材２１に取り付けられるカバー部材２２を示す斜視図である。
障子１０の上框１１、下框１２および左右の縦框１３，１４は、それぞれ中空断面を有したアルミ形材製であり、枠体における上枠材、下枠材および左右の縦枠材を構成するものである。また、樹脂パネル１６は、半透明の樹脂製板材からなり、本発明の面材を構成するもので、縦中桟２０は、中空断面を有したアルミ形材製であり、本発明の中間部材を構成するものである。縦中桟２０は、その上下端部の中空内部に挿入されて取り付けられる端部部材２１を介して上框１１および下框１２に連結されるとともに、帯状の接着部材としての両面テープ２３によって樹脂パネル１６の脱衣室側（見込み方向一方側）側面に当該縦中桟２０の浴室側（見込み方向他方側）側面が接着固定されている。
【００１８】
上框１１、下框１２および縦框１３，１４は、図３、図４に示すように、脱衣室側に面する第１側面部１１１，１２１，１３１，１４１と、浴室側に面する第２側面部１１２，１２２，１３２，１４２と、見付け方向内側に面する見込み面部１１３，１２３，１３３，１４３とを有して形成されている。そして、上框１１、下框１２および縦框１３，１４には、各々の見込み面部１１３，１２３，１３３，１４３から見付け方向外側に凹み、見付け方向内方に開口した凹溝部１１４，１２４，１３４，１４４が形成されている。これらの凹溝部１１４，１２４，１３４，１４４は、樹脂パネル１６の四周端縁を保持するものであって、樹脂パネル１６を脱衣室側（一方側）から保持する第１保持部１１５，１２５，１３５，１４５と、樹脂パネル１６を浴室側（他方側）から保持する第２保持部としての突片１１６，１２６，１３６，１４６とを有して形成されている。
【００１９】
そして、第１保持部１１５，１２５，１３５，１４５と樹脂パネル１６の脱衣室側側面との間には、弾性変形可能な接着剤１６Ａが介挿され、これらの接着剤１６Ａで樹脂パネル１６が浴室側に押圧されることで、突片１１６，１２６，１３６，１４６と樹脂パネル１６とが密接されるようになっている。また、突片１１６，１２６，１３６，１４６は、各框１１，１２，１３，１４の見込み方向他方側の端面である第２側面部１１２，１２２，１３２，１４２と略同一面に設けられるとともに、板状に形成され、凹溝部１１４，１２４，１３４，１４４が各框１１，１２，１３，１４の浴室側寄りに形成されている。従って、各框１１，１２，１３，１４つまり障子枠１５に対して樹脂パネル１６が浴室側に偏った位置に支持され、障子１０の浴室側の側面が全体略フラットに形成されるようになっている。なお、縦框１３における浴室側のハンドル１７を支持するハンドル支持部１３７は、障子１０の全開時に縦骨７の開口部６Ａ側面に位置し、縦框１４における係合片部１４７は、障子１０の全開時に縦骨７に係合するものである。従って、縦框１３，１４において、ハンドル支持部１３７および係合片部１４７が、それぞれ第２側面部１３２，１４２よりも浴室側に突出して形成されていても、障子１０の開閉操作を支障なく実施できるようになっている。
【００２０】
次に、縦中桟２０は、浴室側に位置して樹脂パネル１６に対向する固定面部２４と、この固定面部２４の両側端縁から脱衣室側に延びる一対の見込み面部２５と、これら一対の見込み面部を連結して脱衣室側に延び曲面状に形成された延出面部２６とを有して形成されている。さらに、縦中桟２０の固定面部２４には、一対の見込み面部２５に連続し浴室側に突出する一対の突条２７が、当該縦中桟２０の長手方向略全長に渡って形成されている。この縦中桟２０の見込み面部２５および延出面部２６は、上框１１、下框１２および縦框１３，１４の第１側面部１１１，１２１，１３１，１４１よりも脱衣室側に突出して設けられており、すなわち障子枠１５よりも一方側としての脱衣室側に突出する見込み寸法を有して縦中桟２０が形成されている。これにより、縦中桟２０が把手としての機能も有し、縦中桟２０を持ったり縦中桟２０に指を掛けて操作することで障子１０の開閉操作が実施可能になる。
【００２１】
また、固定面部２４の脱衣室側側面における一対の突条２７間に前記両面テープ２３が設けられており、この両面テープ２３の上下方向の長さ寸法は、縦中桟２０の全長と略同一、すなわち、上框１１および下框１２の見込み面部１１３，１２３間の距離と略同一に設定されている。また、両面テープ２３の厚さ寸法は、突条２７の突出寸法よりも若干大きく設定されるとともに、縦中桟２０を樹脂パネル１６に向かって押圧して両面テープ２３を変形させた状態で突条２７が樹脂パネル１６に当接する程度の寸法に設定されている。このような両面テープ２３で縦中桟２０を樹脂パネル１６に接着することで、縦中桟２０の全長に渡り連続的かつ均一に接着できるようになっている。
【００２２】
次に、縦中桟２０の上下端部に取り付けられる端部部材２１は、図５に示すように、縦中桟２０の上下端部の開口を覆うキャップ部２１１と、このキャップ部２１１から突出して縦中桟２０の中空内部に挿入される挿入部２１２と、この挿入部２１２の反対側に向かってキャップ部２１１から突出する固定片部２１３とを有して形成されている。そして、端部部材２１は、図３に示すように、固定片部２１３を脱衣室側から貫通する固着具としてのビス２１４を第１側面部１１１，１２１に螺合することで、上框１１および下框１２に固定されるようになっている。また、端部部材２１のキャップ部２１１には、カバー部材２２を係止する一対の第１係止部２１５と、第２係止部２１６とが形成されている。第１係止部２１５は、見込み方向に反った案内溝状に形成され、後述するカバー部材２２の突出片２２２を案内するとともに、突出片２２２先端の係止突起２２３を係止可能に構成されている。また、第２係止部２１６は、カバー部材２２の係止凹部２２４と係合することで、カバー部材２２の脱衣室側端部がキャップ部２１１から浮き上がりを防止できるように構成されている。
【００２３】
カバー部材２２は、図５に示すように、端部部材２１のキャップ部２１１と固定片部２１３とに渡って配置される半ドーム状のカバー本体２２１と、このカバー本体２２１の底面側（キャップ部２１１側）に一対で設けられる突出片２２２と、突出片２２２の先端部に形成された係止突起２２３と、カバー本体２２１内部の脱衣室側端部に形成された係止凹部２２４とを有して形成されている。このカバー部材２２は、カバー本体２２１の底面を端部部材２１のキャップ部２１１に摺接させつつ、脱衣室側から浴室側に向かって押し込むことで、端部部材２１に取り付けられる。この際、突出片２２２が端部部材２１の第１係止部２１５に案内されるとともに、所定の取付位置において、係止突起２２３が第１係止部２１５の浴室側端部に係止され、かつ係止凹部２２４に端部部材２１の第２係止部２１６が挿入されることで、移動不能に端部部材２１に支持されるようになっている。また、カバー部材２２と端部部材２１の固定片部２１３との間にマイナスドライバー等を挿入して脱衣室側に引くことで、端部部材２１からカバー部材２２を取り外すことも可能に構成されている。
【００２４】
以上の縦中桟２０を障子１０に取り付ける取付手順について、図７(Ａ)〜(Ｄ)に基づいて説明する。
先ず、図７(Ａ)に示すように、縦中桟２０の固定面部２４に両面テープ２３の一方の接着面を接着するとともに、縦中桟２０の上下端部の中空内部に挿入部２１２を挿入して端部部材２１を取り付け、図７(Ｂ)に示すように、縦中桟２０を組み立てておく。
次に、図７(Ｃ)に示すように、障子枠１５内部に樹脂パネル１６を嵌め込んだ状態の障子１０に対し、脱衣室側から組み立てた縦中桟２０を取り付ける。この際、両面テープ２３の他方の接着面を樹脂パネル１６の脱衣室側表面に接着するとともに、上下の端部部材２１の固定片部２１３をビス２１４によって上框１１および下框１２の第１側面部１１１，１２１に固定する。
次に、図７（Ｄ）に示すように、カバー部材２２を脱衣室側から端部部材２１に係合させて取り付ける。この際、カバー部材２２の突出片２２２を第１係止部２１５に挿通させるとともに、係止突起２２３が第１係止部２１５に係止され、係止凹部２２４（図６）に第２係止部２１６が挿入される位置までカバー部材２２を押し込むことで、カバー部材２２が移動不能に端部部材２１に取り付けられる。
以上のようにして縦中桟２０の障子１０への取付作業が完了する。
【００２５】
このような本実施形態によれば、以下のような効果がある。
（１）すなわち、樹脂パネル１６の脱衣室側の表面に縦中桟２０が接着され、この縦中桟２０の上下端部が端部部材２１を介して上框１１および下框１２に連結されていることで、縦中桟２０の剛性によって樹脂パネル１６の反りを防止することができる。そして、縦中桟２０が上下左右の框１１，１２，１３，１４よりも脱衣室側に突出する見込み寸法を有して形成されていることで、縦中桟２０の上下端部の固定度および部材剛性が確保でき、樹脂パネル１６の反りを効果的に低減させることができる。従って、浴室と脱衣室との温度差によって樹脂パネル１６が浴室側に反ることが防止できるので、障子１０の開閉時に樹脂パネル１６が縦骨７に摺接したり当接したりすることがなく、樹脂パネル１６の傷や音鳴りが防止できるとともに、開閉操作の操作性を良好に維持することができる。また、縦中桟２０が把手として機能することで、高さ方向の任意の位置で障子１０を開閉操作することができ、利便性を向上させることができる。
【００２６】
（２）さらに、障子枠１５に対して浴室側に偏った位置に樹脂パネル１６を設け、浴室側をフラットに形成した障子１０において、縦中桟２０が樹脂パネル１６の脱衣室側に接着されているので、浴室側に縦中桟２０が突出したり露出したりせず、障子１０と縦骨７とのクリアランスが確保できるとともに、浴室側から縦中桟２０が見えないか目立たなくできて意匠性が良好にできる。また、縦中桟２０の略全長を樹脂パネル１６に接着することで、樹脂パネル１６と縦中桟２０との一体性を高めることができ、一層効果的に樹脂パネル１６の反りを防止することができる。
【００２７】
（３）また、上下両端部に取り付けられた端部部材２１を介して縦中桟２０が上框１１および下框１２に連結されているので、縦中桟２０に複雑な加工を施さなくても連結が容易にでき、加工コストや組立作業手間を低減させることができる。さらに、中空断面を有する縦中桟２０が上下左右の框１１，１２，１３，１４よりも脱衣室側に突出して設けられていても、その端部が端部部材２１で塞がれているので、縦中桟２０の端部が露出することなく、内部への水や埃等の浸入を防止することができる。また、端部部材２１の固定片部２１３が脱衣室側からのビス２１４で上框１１および下框１２の第１側面部１１１，１２１に固定されるので、固定作業が容易にでき、組立作業性を向上させることができる。さらに、端部部材２１にカバー部材２２を取り付けてビス２１４を覆うことで、ビス２１４を隠蔽することができ、障子１０の外観を良好にすることができる。
【００２８】
（４）また、縦中桟２０の一対の突条２７間に設けた両面テープ２３を樹脂パネル１６に接着することで、突条２７によって両面テープ２３を隠蔽することができ、外観意匠性を向上させることができる。さらに、両面テープ２３の厚さ寸法と突条２７の突出寸法とを適宜に設定し、接着時に両面テープ２３が変形した際に突条２７が樹脂パネル１６に当接するようにしたことで、縦中桟２０の全長に渡って両面テープ２３の接着力を均一化させることができる。
【００２９】
なお、本発明は前記実施形態の構成に限定されるものではない。
例えば、前記実施形態では、浴室出入り口用の建具としての片引き戸１を例示して説明したが、本発明の建具は、浴室出入り口用の建具に限らず、建物の窓や出入り口に用いられるものであってもよい。また、前記実施形態では、１枚の障子１０を有した片引き形式の建具について説明したが、これに限らず、２枚以上の障子が開閉自在に支持された二枚建てや三枚建ての引き戸でもよく、さらには開き形式のドアや折れ戸であってもよい。
【００３０】
また、前記実施形態では、中間部材として、障子１０の上框１１と下框１２との間に架設される縦中桟２０を例示したが、中間部材としては、縦中桟に限らず、左右の縦框１３，１４間に架設される横中桟であってもよく、さらには縦横格子状に架設される中桟であってもよい。また、中間部材は、１本に限らず、複数本で構成されていてもよい。
また、前記実施形態では、障子１０において枠体（障子枠１５）に対して面材（樹脂パネル１６）が他方側（浴室側）に偏って配置されたものを例示したが、これに限らず、枠体の見込み方向略中央に面材が配置されたものでもよく、また枠体の見込み方向一方側に偏心して面材が配置されたものでもよい。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含
まれるものである。
【図面の簡単な説明】
【００３２】
【図１】本発明の実施形態に係る建具を示す横断面図である。
【図２】前記建具を示す縦断面図である。
【図３】前記建具における障子を拡大して示す縦断面図である。
【図４】前記障子を拡大して示す横断面図である。
【図５】前記障子の中間部材に取り付けられる端部部材を示す斜視図である。
【図６】前記端部部材に取り付けられるカバー部材を示す斜視図である。
【図７】前記障子の組立手順を示す断面図である。
【符号の説明】
【００３３】
１…片引き戸（建具）、６…建具枠、８Ａ…障子収納部、１０…障子、１１…上框（上枠材）、１２…下框（下枠材）、１３，１４…縦框（縦枠材）、１５…障子枠（枠体）、１６…樹脂パネル（面材）、２０…縦中桟（中間部材）、２１…端部部材、２２…カバー部材、２３…両面テープ（接着部材）、２７…突条、１１４，１２４，１３４，１４４…凹溝部、１１５，１２５，１３５，１４５…第１保持部、１１６，１２６，１３６，１４６…突片（第２保持部）、２１３…固定片部、２１４…ビス（固着具）。
【図１】
0004887311.tif 000002
【図２】
0004887311.tif 000003
【図３】
0004887311.tif 000004
【図４】
0004887311.tif 000005
【図５】
0004887311.tif 000006
【図６】
0004887311.tif 000007
【図７】
0004887311.tif 000008